(57)【要約】【課題】Ｗｅｂページの印刷物を読み取ってＵＲＬを文字認識し、そのＷｅｂサーバに接続してＷｅｂページの画像データを生成して出力する際に、リンクされているＷｅｂページについても原稿の画像データを出力することのできる画像形成装置を提供する。【解決手段】画像入出力システム１００は、原稿を読み取って画像データを取得し、ＵＲＬを文字認識して当該ＵＲＬ先のＷｅｂサーバ４１２にＨＴＭＬファイル転送要求を送信する。Ｗｅｂサーバ４１２からＨＴＭＬファイルを受信し、Ｗｅｂ情報からリンク先があると判別された場合には、リンク先の一連のＷｅｂ情報のリストを印刷して出力する。リストに所望するリンク先を指定後、画像入出力システム１００で読み取ることで、特定のリンク先のＷｅｂページ画像データを取得して出力できる。【選択図】        図１
2006221228.tif 000002
【特許請求の範囲】
【請求項１】
ネットワーク上のＷＷＷサーバが保持する文書データを取得し、該取得した文書データを印刷処理可能な第１の画像データに変換して該第１の画像データの印刷を行う印刷機能を有する画像形成装置において、
前記第１の画像データを印刷して得られた原稿を読み取って第２の画像データを得る原稿読取手段と、
前記第２の画像データから前記文書データの所在を表す所在情報を抽出する所在情報抽出手段と、
前記所在情報に基づいて前記ＷＷＷサーバに前記文書データの転送要求を送信する文書データ転送要求送信手段と、
前記ＷＷＷサーバから前記文書データを受信する文書データ受信手段と、
前記ＷＷＷサーバから前記文書データに階層的にリンクする一連の文書データに関するリンク情報を取得し、該リンク情報から文書データのタイトルを第１階層の文書データのタイトルとして前記文書データに階層的にリンクする一連の文書データのタイトルを抽出するタイトル抽出手段と、
前記取得した文書データのタイトルを所定のフォーマットの原稿を印刷するタイトル印刷手段と、
前記印刷された原稿を読み取ることで特定のタイトルを指定する指定手段とを備え、
前記第１階層の文書データから前記指定されたタイトルを有する任意の階層の文書データまでの一連の文書データを前記ＷＷＷサーバから取得して、印刷処理可能な第３の画像データに変換して該第３の画像データの印刷を行うことを特徴とする画像形成装置。
【請求項２】
前記タイトル抽出手段は、前記取得したリンク情報を保持するリンク情報保持手段を有することを特徴とする請求項１記載の画像形成装置。
【請求項３】
前記リンク情報保持手段に保持されたリンク情報の中から前記第１階層の文書データから前記指定されたタイトルを有する任意の階層の文書データまでの一連の文書データに関するリンク情報を検索するリンク情報検索手段を備え、
前記リンク情報検索手段により検索された前記リンク情報に基づき前記第１階層の文書データから前記指定されたタイトルを有する任意の階層の文書データまでの一連の文書データを取得することを特徴とする請求項１記載の画像形成装置。
【請求項４】
前記タイトル印刷手段において印刷される原稿には、リンク情報を示すタイトルをユーザーが特定するためのマーク記入欄があり、ユーザーは前記原稿に印刷された情報から所望するタイトルに関係するマーク記入欄にマークを記入すると、前記指定手段によってユーザーが所望するタイトルの文書データを取得できることを特徴とする請求項１記載の画像形成装置。
【発明の詳細な説明】
【技術分野】
【０００１】
本発明は、Ｗｅｂページの印刷物を読み取ってＵＲＬを文字認識し、そのＷｅｂサーバに接続してＷｅｂページの画像データを生成して出力する画像形成装置に関する。
【背景技術】
【０００２】
近年、パソコンの普及に伴いインターネットの利用者が増大し、Ｗｅｂページを印刷する機会が増えるとともに、未だ紙媒体による情報伝播が相当量行われていることから、Ｗｅｂページの印刷物をコピーする機会も多くなっている。ところが、Ｗｅｂページはカラー画像が主流であるため、Ｗｅｂページの印刷物をコピーすると画像の劣化が目立ち易い。そこで、Ｗｅｂページの印刷物をコピーする際に、原稿のフッタ等に記録されているＵＲＬを文字認識し、そのＵＲＬが示すＷｅｂサーバに接続してＨＴＭＬファイルを取得し、Ｗｅｂページの画像データを生成してこれを印刷することにより画像劣化のないコピーを出力する画像形成装置が多数提案されている（例えば、特許文献１参照。）。
【特許文献１】特開平１０−２８３３１３号公報
【発明の開示】
【発明が解決しようとする課題】
【０００３】
しかし、上述した従来の画像形成装置では、リンクされているＷｅｂページには対応しておらず、リンクされているＷｅｂページを取得したい場合には、ユーザーが新たにパソコンを立ち上げ、インターネットに接続し、目的のＷｅｂページを開く必要があり、作業効率が悪いという問題があった。
【０００４】
本発明は、上記従来技術の有する問題点に鑑みなされたものであり、その目的とするところは、Ｗｅｂページの印刷物を読み取ってＵＲＬを文字認識し、そのＷｅｂサーバに接続してＷｅｂページの画像データを生成して出力する画像形成装置において、取り込んだＷｅｂページにリンク先がある場合には、リンク先のリストを所定のフォーマットで印刷し、ユーザーは印刷された用紙上のリストから所望のリンク先を選択でき、選択したリンク先のマーク記入欄にマークし、再度その用紙を読み取らせることで、所望するリンク先の画像データを、容易に選択し印刷できる画像形成装置を提供することにある。
【課題を解決するための手段】
【０００５】
請求項１記載の発明は、ネットワーク上のＷＷＷサーバが保持する文書データを取得し、該取得した文書データを印刷処理可能な第１の画像データに変換して該第１の画像データの印刷を行う印刷機能を有する画像形成装置において、前記第１の画像データを印刷して得られた原稿を読み取って第２の画像データを得る原稿読取手段と、前記第２の画像データから前記文書データの所在を表す所在情報を抽出する所在情報抽出手段と、前記所在情報に基づいて前記ＷＷＷサーバに前記文書データの転送要求を送信する文書データ転送要求送信手段と、前記ＷＷＷサーバから前記文書データを受信する文書データ受信手段と、前記ＷＷＷサーバから前記文書データに階層的にリンクする一連の文書データに関するリンク情報を取得し、該リンク情報から文書データのタイトルを第１階層の文書データのタイトルとして前記文書データに階層的にリンクする一連の文書データのタイトルを抽出するタイトル抽出手段と、前記取得した文書データのタイトルを所定のフォーマットの原稿を印刷するタイトル印刷手段と、前記印刷された原稿を読み取ることで特定のタイトルを指定する指定手段とを備え、前記第１階層の文書データから前記指定されたタイトルを有する任意の階層の文書データまでの一連の文書データを前記ＷＷＷサーバから取得して、印刷処理可能な第３の画像データに変換して該第３の画像データの印刷を行うことを特徴とする。
【０００６】
請求項２記載の発明は、請求項１記載の画像形成装置において、前記タイトル抽出手段は、前記取得したリンク情報を保持するリンク情報保持手段を有することを特徴とする。
【０００７】
請求項３記載の発明は、請求項１記載の画像形成装置において、前記リンク情報保持手段に保持されたリンク情報の中から前記第１階層の文書データから前記指定されたタイトルを有する任意の階層の文書データまでの一連の文書データに関するリンク情報を検索するリンク情報検索手段を備え、前記リンク情報検索手段により検索された前記リンク情報に基づき前記第１階層の文書データから前記指定されたタイトルを有する任意の階層の文書データまでの一連の文書データを取得することを特徴とする。
【０００８】
請求項４記載の発明は、請求項１記載の画像形成装置において、前記タイトル印刷手段において印刷される原稿には、リンク情報を示すタイトルをユーザーが特定するためのマーク記入欄があり、ユーザーは前記原稿に印刷された情報から所望するタイトルに関係するマーク記入欄にマークを記入すると、前記指定手段によってユーザーが所望するタイトルの文書データを取得できることを特徴とする。
【発明の効果】
【０００９】
本発明の画像形成装置によれば、Ｗｅｂページの印刷物を読み取ってＵＲＬを文字認識し、そのＷｅｂサーバに接続してＷｅｂページの画像データを生成して出力する画像形成装置において、取り込んだＷｅｂページにリンク先がある場合には、リンク先のリストを所定のフォーマットで印刷し、ユーザーは印刷された用紙上のリストから所望のリンク先を選択でき、選択したリンク先のマーク記入欄にマークし、再度その用紙を読み取らせることで、所望するリンク先の画像データを、容易に選択し印刷できる。
【発明を実施するための最良の形態】
【００１０】
以下に本発明の実施の形態について図面を参照しながら説明する。
【実施例】
【００１１】
（実施の第１形態）
図１は本発明の実施の第１形態に係る画像入出力システムの構成を示すブロック図である。本実施の形態では、画像形成装置として、コピー機能、スキャナ機能、プリンタ機能、ファクシミリ機能およびボックス機能を有する画像入出力システムを例に説明する。
【００１２】
画像入出力システム１００は、図１に示すように、リーダ部２００と、プリンタ部３００と、制御装置１１０と、操作部１５０とを備える。リーダ部２００は、原稿を給紙するための原稿給紙ユニット２５０と、原稿給紙ユニット２５０から給紙された原稿上の画像を読み取るためのスキャナユニット２１０とを有し、スキャナユニット２１０により読み取られた画像データは、制御装置１１０に入力される。
【００１３】
プリンタ部３００は、給紙ユニット３１０と、マーキングユニット３２０と、排紙ユニット３３０とを有する。給紙ユニット３１０は、異なるサイズの記録紙をそれぞれ収容する複数のカセットを搭載し、各カセットから記録紙を給紙する。マーキングユニット３２０は、電子写真方式による画像形成プロセスを有するユニットである。このマーキングユニット３２０においては、通信ネットワーク４００に接続されたＰＣ（ホストコンピュータ）４１１，Ｗｅｂサーバ４１２またはスキャナユニット２１０から制御装置１１０を介して入力された画像データに基づき給紙ユニット３１０から給紙された記録紙上に画像形成を行う。排紙ユニット３３０は、マーキングユニット３２０により画像形成された記録紙をソート、ステイプルなどの処理を施して排紙する。
【００１４】
制御装置１１０は、リーダ部２００およびプリンタ部３００と電気的に接続されるとともに、ＰＣ４１１，Ｗｅｂサーバ４１２を収容する通信ネットワーク４００および公衆回線（図示せず）に接続されている。制御装置１１０は、リーダ部２００により原稿の画像データを読み取り、この画像データをプリンタ部３００に出力して記録紙上に画像を形成するように制御することによって、コピー機能を実現する。また、リーダ部２００で読み取られた画像データをコードデータに変換し、通信ネットワーク４００を介してＰＣ４１１，Ｗｅｂサーバ４１２に送信するように制御することによって、スキャナ機能を実現する。さらに、各ＰＣ４１１，Ｗｅｂサーバ４１２から通信ネットワーク４００を介して受信したコードデータを画像データに変換し、この画像データをプリンタ部３００に出力するように制御することによって、プリンタ機能を実現する。さらに、リーダ部２００により原稿の画像データを読み取り、この画像データを後述するＦＡＸボード（図示せず）に出力し、また公衆回線に送出された画像データをＦＡＸボードを介して受信してプリンタ部３００に出力することによって、ファクシミリ機能を実現する。
【００１５】
また、制御装置１１０には、ハードディスクドライブ（ＨＤドライブ）１６０が接続され、このハードディスクドライブ１６０の記憶領域は、後述するように複数の領域に分割され、各領域には画像データが格納される。制御装置１１０は、このハードディスクドライブ１６０のハードディスクを用いてボックス機能を実現する。このボックス機能の詳細については、後述する。
【００１６】
操作部１５０は、制御装置１１０に対する指示入力などを行うための各種キーおよびユーザーとのインタフェース画面を表示するための液晶表示パネルを有し、各種キーに操作に応じて対応する信号を発生して制御装置１１０へ出力する。
【００１７】
Ｗｅｂサーバ４１２は、ＷＷＷサーバ機能を有するコンピュータである。Ｗｅｂサーバ４１２は、ＷＷＷデータベースとしてネットワーク上でＨＴＭＬ形式による文書ファイルを公開し、クライアントからの要求に応じてＨＴＭＬファイルを転送する機能を有する。
【００１８】
通信ネットワーク４００は、電話網、ＩＳＤＮ、パケット交換網等の公衆網、およびＬＡＮ、ＷＡＮ、インターネット等のコンピュータネットワークを含むものである。
【００１９】
次に、リーダ部２００およびプリンタ部３００のハードウェア構成について図２を参照しながら説明する。図２は図１の画像入出力システムのリーダ部２００およびプリンタ部３００のハードウェア構成を模式的に示す図である。
【００２０】
リーダ部２００とプリンタ部３００とは、図２に示すように、一体的に構成されている。リーダ部２００は、原稿給紙ユニット２５０を搭載し、原稿給紙ユニット２５０は、原稿を先頭から順に１枚ずつプラテンガラス２１１上へ給送し、各原稿の読取動作が終了する毎にその原稿をプラテンガラス２１１から排出トレイ（図示せず）に排出する。リーダ部２００は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、ＣＣＤという）２１８に導かれ、原稿上の画像がＣＣＤ２１８の撮像面上に結像される。ＣＣＤ２１８は、撮像面に結像された画像を電気信号に変換し、この電気信号は所定の処理が施された後に制御装置１１０に入力される。
【００２１】
プリンタ部３００は、レーザドライバ３２１を有し、レーザドライバ３２１は、制御装置１１０から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００２２】
トナー像が転写された記録紙は搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２３】
次に、制御装置１１０の詳細構成について図３を参照しながら説明する。図３は図１の画像入出力システムにおける制御装置１１０の構成を示すブロック図である。
【００２４】
制御装置１１０は、装置全体の制御を行うメインコントローラ１１１を有し、このメインコントローラ１１１には、ＣＰＵ１１２、バスコントローラ１１３、各種Ｉ／Ｆコントローラ回路（図示せず）などが設けられている。また、メインコントローラ１１１には、ＲＯＭ１１４がＩ／Ｆ１１５を介して、ＤＲＡＭ１１６がＩ／Ｆ１１７を介してそれぞれ接続されている。ＣＰＵ１１２は、ＲＯＭ１１４からＩ／Ｆ１１５を介して読み込んだプログラムに従い各種処理を行う。例えば、各ＰＣ４１１，Ｗｅｂサーバ４１２から受信したＰＤＬ（ページ記述言語）を解釈し、ラスタイメージデータに展開する展開処理などを行う。ＣＰＵ１１２の作業領域は、ＤＲＡＭ１１６により提供される。このＤＲＡＭ１１６には、画像データも格納される。また、本画像形成装置における、後述するフローチャートで示される制御処理は、ＲＯＭ１１４もしくはＨＤ１６２に格納されている制御プログラムをＤＲＡＭ１１６に読出し、ＣＰＵ１１２が該制御プログラムに基づいて処理することにより実現される。
【００２５】
また、メインコントローラ１１１には、コーデック（Ｃｏｄｅｃ）１１８がＩ／Ｆ１２０を介して接続され、コーデック１１８はＤＲＡＭ１１６に格納されたラスタイメージデータをＭＨ／ＭＲ／ＭＭＲ／ＪＢＩＧなどの方式で圧縮し、また逆に圧縮され蓄積されたコードデータをラスタイメージデータに伸長する。コーデック１１８の処理に伴う作業領域は、ＳＲＡＭ１１９により提供される。コーデック１１８とＤＲＡＭ１１６との間のデータ転送は、ＤＭＡ方式により行われ、その制御はバスコンコントローラ１１３によって行われる。
【００２６】
さらに、メインコントローラ１１１には、ネットワークコントローラ１２１がＩ／Ｆ１２３を介して接続され、このネットワークコントローラ１２１は、イーサネット（登録商標）、トークンリング、ＦＤＤＩ等のネットワーク機能を有する。ネットワークコントローラ１２１には、コネクタ１２２が設けられ、このコネクタ１２２は通信ネットワーク４００（図１に示す）に接続されている。
【００２７】
さらに、メインコントローラ１１１には、拡張ボードを接続するための拡張コネクタ１２４およびＩ／Ｏ制御部１２６が汎用高速バス１２５を介して接続されている。ここで、汎用高速バス１２５は例えばＰＣＩバスからなる。本実施の形態では、ファクシミリ機能を実現するために、拡張コネクタ１２４にはＦＡＸボード（図示せず）が接続され、このＦＡＸボードには公衆回線に接続されている。
【００２８】
Ｉ／Ｏ制御部１２６は、リーダ部２００、プリンタ部３００の各ＣＰＵと制御コマンドを送受信するための２チャンネルの調歩同期シリアル通信コントローラ１２７を含み、Ｉ／Ｏバス１２８を介してスキャナＩ／Ｆ１４０およびプリンタＩ／Ｆ１４５と接続されている。
【００２９】
また、Ｉ／Ｏ制御部１２６には、パネルＩ／Ｆ１３２が接続され、パネルＩ／Ｆ１３２は、操作部１５０とのインタフェースである。このパネルＩ／Ｆ１３２には、ＬＣＤコントローラ１３１が接続され、ＬＣＤコントローラ１３１は、操作部１５０に設けられた液晶表示パネルの駆動を行う。また、パネルＩ／Ｆ１３２は、操作部１５０のハードキー、ソフトキーの操作に応じて入力されたキー信号を取り込むためのＩ／Ｆ１３０を含む。
【００３０】
さらに、Ｉ／Ｏ制御部１２６には、装置内で管理する日時を更新、保存するためのリアルタイムクロックモジュール１３３およびＥ−ＩＤＥコネクタ１６１が接続され、このリアルタイムクロックモジュール１３３はバックアップ用電池１３４でバックアップされている。Ｅ−ＩＤＥコネクタ１６１は、外部記憶装置を接続するためのコネクタであり、このコネクタ１６１にハードディスク、ＭＯドライブなどの外部記憶装置を接続することによって、この外部記憶装置に画像データを書き込み、また読み出すことができる。本実施の形態では、ハードディスクドライブ（ＨＤドライブ）１６０が接続され、このＨＤドライブ１６０はハードディスク（ＨＤ）１６２を駆動する。
【００３１】
スキャナＩ／Ｆ１４０は、スキャナバス１４１を介してメインコントローラ１１１に接続され、また、リーダ部２００と接続するコネクタ１４２が設けられている。スキャナＩ／Ｆ１４０とコネクタ１４２とは、同調歩同期シリアルＩ／Ｆ１４３およびビデオＩ／Ｆ１４４を介して接続されている。スキャナＩ／Ｆ１４０は、リーダ部２００から受け取った画像に対して最適な二値化処理、変倍処理などを行う処理機能を有し、また、リーダ部２００から受け取ったビデオ制御信号に基づき制御信号を生成し、この制御信号をスキャナバス１４１を介してメインコトローラ１１１に出力する機能を有する。ここで、スキャナバス１４１からＤＲＡＭ１１６へのデータ転送は、バスコントローラ１１３により制御される。
【００３２】
同様に、プリンタＩ／Ｆ１４５は、プリンタバス１４６を介してメインコントローラ１１１に接続され、また、プリンタ部３００と接続するコネクタ１４７が設けられている。プリンタＩ／Ｆ１４５とコネクタ１４７とは、同調歩同期シリアルＩ／Ｆ１４８およびビデオＩ／Ｆ１４９を介して接続されている。プリンタＩ／Ｆ１４５は、メインコントローラ１１１から出力された画像データにスムージング処理を施してプリンタ部３００へ出力する機能を有し、また、プリンタ部３００から受け取ったビデオ制御信号に基づき制御信号を生成し、この制御信号をプリンタバス１４６を介してメインコトローラ１１１に出力する機能を有する。ＤＲＡＭ１１６上で展開されたラスタイメージデータのプリンタ部３００への転送は、バスコントローラ１１３によって制御され、プリンタバス１４６、ビデオＩ／Ｆ１４９を経由してプリンタ部３００へ転送される。
【００３３】
次に、ハードディスク１６２の論理的な使用方法について図４を参照しながら説明する。図４は図１の画像入出力システムのハードディスク１６２の記憶領域を複数の領域に論理的に分けた状態を模式的に示す図である。
【００３４】
ハードディスク１６２の記憶領域は、図４に示すように、テンポラリ領域４０１とボックス領域４０２とに論理的に分けられる。テンポラリ領域４０１は、画像データの出力順序を変えたり、複数部数出力において１回のスキャンで出力を可能にするために、ＰＤＬの展開データやスキャナユニット２１０からの画像データを一時的に記憶する領域である。ボックス領域４０２は、ボックス機能に使用される領域であり、予め決められている数の領域に分割されている。本実施の形態では、ボックス領域４０２が各領域４０３〜４０７に分割されているものとする。各領域４０３〜４０７は、各ユーザーや部署毎に割り当てられ、各領域４０３〜４０７には対応するボックス番号、ボックス名、パスワードのそれぞれが割り付けられている。ユーザーは、ボックス番号を指定することによってこのボックス番号に対応する領域にアクセスすることができ、パスワードの入力によって、対応する領域の画像データを読み出し、プリントアウトや送信することが可能になる。
【００３５】
このように、ユーザーによりハードディスク１６２のボックス領域４０２内の領域を指定し、この指定された領域に画像データを格納し、ユーザーの操作によりこの画像データを任意のタイミングで読み出してプリントアウト、ファクシミリ送信などを行うことができる機能をボックス機能という。
【００３６】
ボックス機能は、具体的には、ボックス登録、ボックスプリント、ボックス送信の３つの機能に分けられている。ボックス登録は、各ＰＣ４１１，Ｗｅｂサーバ４１２またはリーダ部２００からボックス領域４０２内の対応する領域を指定し、この指定された領域に画像データ（ＰＤＬの展開データやスキャナユニット２１０により読み取られた画像データ）を格納する機能である。ボックスプリントは、ボックス領域４０２内の領域を指定し、この指定された領域から画像データ（ＰＤＬの展開データやスキャナユニット２１０により読み取られた画像データ）を読み出してプリンタ部３００に転送し、プリントアウトする機能である。ボックス送信は、ボックス領域４０２内の領域を指定し、この指定された領域から画像データ（ＰＤＬの展開データやスキャナユニット２１０により読み取られた画像データ）を読み出して通信ネットワーク４００を介して各ＰＣ４１１，Ｗｅｂサーバ４１２への送信、また公衆回線を介してファクシミリ送信、インタネットファクシミリ送信、Ｅ−ｍａｉｌ添付送信、リモードコピー送信などを行う機能である。
【００３７】
図５（Ａ），（Ｂ），（Ｃ）は、本実施形態における画像入出力システム１００の画像処理の手順を示すフローチャートである。
【００３８】
まず、画像入出力システム１００は、ユーザーからコピーの開始命令があるまで待機する（Ｓ１０１）。ユーザーは、“Ｗｅｂページを印刷した原稿”、もしくは、“Ｗｅｂページ上のリンク先ＵＲＬのリストを印刷した原稿（以下、Ｗｅｂタイトルリスト用紙）”を原稿台の所定の位置にセットし、操作部１５０から、コピー部数、用紙サイズ、倍率、濃度、レイアウト（Ｎページ分のデータを１ページの出力データに配置する機能（Ｎｉｎ１）等）、片面・両面コピー、ソート、仕上げ機能（ステイプル機能、折り機能、パンチホール機能など）等のコピー条件を設定してスタートキーを押す。
【００３９】
図６は、Ｗｅｂページを印刷した原稿の一例を示す図である。このように、Ｗｅｂページを印刷した原稿には、所定の領域、たとえばヘッダやフッタ等に前記ＷｅｂページのＵＲＬが印刷されている。
【００４０】
図１０は、Ｗｅｂタイトルリスト用紙の一例を示す図である。Ｗｅｂタイトルリスト用紙は、マーク記入欄とリンク先ＵＲＬが印刷されている。図１０におけるＴＩＴＬＥ１は、Ｓ１０４の文字認識処理により認識されたＵＲＬに相当するＷｅｂのタイトルであり、これを第１階層とする。ＴＩＴＬＥ２〜ＴＩＴＬＥ４は、後述するＷｅｂページ上にリンク先ＵＲＬがある場合に、第１階層にリンクされているＷｅｂのタイトルで、これを第２階層とする。ＴＩＴＬＥ５〜ＴＩＴＬＥ１０は第２階層にリンクされているＷｅｂのタイトルで、これを第３階層とする。また、リンク先の表示内容を、ユーザーがリストから判断できるよう、ＨＴＭＬのタイトル名称や、Ｗｅｂページ上から抽出したキーワードを、用紙上に別項目として印刷しても良いものとする。
【００４１】
画像入出力システム１００は、ユーザーからコピーの開始命令があると（Ｓ１０１のＹＥＳ）、セットされた原稿を読み取って画像データを取得し（Ｓ１０２）、得られた画像データをハードディスク１６２に保存する（Ｓ１０３）。
【００４２】
ついで、画像データの所定領域を対象に文字認識を行う（Ｓ１０４）。
【００４３】
原稿が“Ｗｅｂタイトルリスト用紙”である場合、例えば、Ｗｅｂタイトルリストという名称を認識したり、原稿上のバーコードや電子透かし等（不図示）、画像入出力システム１００固有の認識手段により、認識を行っても良い。
【００４４】
“Ｗｅｂタイトルリスト用紙”と認識されなかった場合は（Ｓ１０５のＮＯ）、Ｓ１０６で、原稿がＷｅｂページを印刷したものであるか否かを判別する。
【００４５】
原稿がＷｅｂページを印刷したものである場合、取得した画像データの所定領域にはＵＲＬが存在している。かかる場合、ＵＲＬの表示される領域は決まっているため、文字認識の対象をかかる領域に限定することができ、文字認識処理の効率を上げることができる。文字認識の方法としては、たとえば各文字画像の特微量と予め記憶されている辞書パターンとの一致の度合いに基づいて判別する方法等を用いることができる。
【００４６】
前記文字認識処理によりＵＲＬが認識されなかった場合は（Ｓ１０６のＮＯ）、Ｓ１０３の手順でハードディスク１６２に保存した画像データをＤＲＡＭ１１６に読み出し（Ｓ１０７）、前記画像データをプリンタ部３００において設定条件に従って印刷し出力する（Ｓ１０８）。
【００４７】
一方、前記文字認識処理によりＵＲＬが認識された場合は（Ｓ１０６のＹＥＳ）、認識されたＵＲＬで示されるＷｅｂサーバ４１２に、ＨＴＭＬファイルの転送要求を、ネットワークコントローラ１２１および通信ネットワークを介して送信する（Ｓ１０９）。
【００４８】
ＨＴＭＬファイルの転送要求を送信後、何らかの理由、たとえばＵＲＬの文字認識の誤りによる接続ミス、Ｗｅｂページの削除または移動、Ｗｅｂサーバのダウン、Ｗｅｂサーバへのアクセスの混雑等により、所定の時間内にＷｅｂサーバ４１２からＨＴＭＬファイルを受信できなかった場合（Ｓ１１０のＮＯ）、図７に示すようなエラーメッセージを操作部１５０に表示し（Ｓ１１１）、Ｓ１０３の手順でハードディスク１６２に保存した画像データをＤＲＡＭ１１６に読み出して（Ｓ１０７）、前記画像データをプリンタ部３００において設定条件に従って印刷し出力する（Ｓ１０８）。
【００４９】
なお、Ｓ１１１のエラーメッセージの表示手順において、操作部１５０に表示するエラーメッセージの画面に、図８に示すように「ＵＲＬを修正して再接続」および「原稿コピー」のボタンを設け、Ｓ１０４の文字認識の手順においてＵＲＬが誤認識されたためにＷｅｂサーバ４１２に接続できなかった場合に、ＵＲＬを修正してＷｅｂサーバ４１２に再接続するか、原稿のコピーを出力するかをユーザーに選択させる構成としてもよい。この場合、ユーザーは、画面に表示されたＵＲＬを確認し、ＵＲＬに誤りがある場合に「ＵＲＬを修正して再接続」のボタンを押して、ついで表示される図９に示すようなＵＲＬ修正画面においてＵＲＬを修正し再接続の指示をすることができる。
【００５０】
ＨＴＭＬファイルの転送要求を送信後、所定の時間内にＷｅｂサーバ４１２からＨＴＭＬファイルを受信した場合には（Ｓ１１０のＹＥＳ）、受信したＨＴＭＬファイルを解析して、Ｗｅｂサーバに画像ファイル等のリンクファイルの転送要求を、ネットワークインタフェース１１８および通信ネットワークを介して送信する（Ｓ１１２）。リンクファイルの転送要求の送信後、Ｗｅｂサーバへのアクセスの混雑等により所定の時間内にＷｅｂサーバ４１２からリンクファイルを受信できなかった場合（Ｓ１１３のＮＯ）、「リンクファイルが見つかりません。」等のエラーメッセージを操作部１５０に表示し（Ｓ１１４）、Ｓ１０３の手順でハードディスク１６２に保存した画像データをＤＲＡＭ１１６に読み出して（Ｓ１０７）、前記画像データをプリンタ部３００において設定条件に従って印刷し出力する（Ｓ１０８）。
【００５１】
ＨＴＭＬファイルの転送要求を送信後、所定の時間内にＷｅｂサーバ４１２からリンクファイルを受信した場合には（Ｓ１１３のＹＥＳ）、ＣＰＵ１１２は受信したリンクファイルからＷｅｂに関する情報を読み出し、リンクＵＲＬが含まれているか否かを判別する（Ｓ１１５）。
【００５２】
リンクＵＲＬが含まれていない場合には（Ｓ１１５のＮＯ）、受信したＨＴＭＬファイルおよびリンクファイルからＷｅｂページの画像データを生成する（Ｓ１１６）。
【００５３】
リンクＵＲＬが含まれている場合には（Ｓ１１５のＹＥＳ）、上述した図１０に示すような“Ｗｅｂタイトルリスト用紙”に印刷するための画像データを生成し（Ｓ１１７）、前記画像データをプリンタ部３００において設定条件に従って印刷し出力する（Ｓ１０８）。ユーザーは、印刷された“Ｗｅｂタイトルリスト用紙”から、所望のリンク先Ｗｅｂページを選択し、用紙上のマーク記入欄にマークを記入した後に、再度、画像入出力システム１００にセットして、セットされた原稿を読み取って画像データを取得し（Ｓ１０２）、得られた画像データをハードディスク１６２に保存する（Ｓ１０３）。
【００５４】
前記文字認識処理の結果、“Ｗｅｂタイトルリスト用紙”と認識された場合は（Ｓ１０５のＹＥＳ）、用紙上のマーク記入欄を読み取り、マークの記入の有無を判別する（Ｓ１１８）。
【００５５】
マーク記入欄にマークの記入が無い場合（Ｓ１１８のＮＯ）、Ｓ１０３の手順でハードディスク１６２に保存した画像データをＤＲＡＭ１１６に読み出し（Ｓ１０７）、前記画像データをプリンタ部３００において設定条件に従って印刷し出力する（Ｓ１０８）。
【００５６】
マーク記入欄にマークの記入が有る場合（Ｓ１１８のＹＥＳ）（ここでは、図１１のように記入されているものとする）、ＣＰＵ１１２は、ＴＩＴＬＥ１，ＴＩＴＬＥ２，ＴＩＴＬＥ７に対応するＵＲＬ、すなわち、
ｈｔｔｐ：／／ｗｗｗ．ｃｄｅｆｇ．ｃｏ．ｊｐ／ｗｅｂ１．ｈｔｍｌ
ｈｔｔｐ：／／ｗｗｗ．ｃｄｅｆｇ．ｃｏ．ｊｐ／ｗｅｂ２．ｈｔｍｌ
ｈｔｔｐ：／／ｗｗｗ．ｃｄｅｆｇ．ｃｏ．ｊｐ／ｗｅｂ７．ｈｔｍｌ
を検索し、図１２に示すようなテーブルを作成して、ＤＲＡＭ１１６に一時記憶しておく。
【００５７】
この新しいテーブルが作成されると、このテーブルのＵＲＬを、ＣＰＵ１１２は、再度、ＨＴＭＬファイルの転送要求を送信する（Ｓ１１９）。
【００５８】
ＨＴＭＬファイルの転送要求を送信後、何らかの理由、たとえばＵＲＬの文字認識の誤りによる接続ミス、Ｗｅｂページの削除または移動、Ｗｅｂサーバのダウン、Ｗｅｂサーバへのアクセスの混雑等により、所定の時間内にＷｅｂサーバ４１２からＨＴＭＬファイルを受信できなかった場合（Ｓ１２０のＮＯ）、図７と同様に示すようなエラーメッセージを操作部１５０に表示し（Ｓ１２１）、Ｓ１０３の手順でハードディスク１６２に保存した画像データをＤＲＡＭ１１６に読み出して（Ｓ１０７）、前記画像データをプリンタ部３００において設定条件に従って印刷し出力する（Ｓ１０８）。
【００５９】
所定の時間内にＷｅｂサーバ４１２からＨＴＭＬファイルを受信した場合には（Ｓ１２０のＹＥＳ）、受信したＨＴＭＬファイルを解析して、Ｗｅｂサーバに画像ファイル等のリンクファイルの転送要求を、ネットワークインタフェース１１８および通信ネットワークを介して送信する（Ｓ１２２）。リンクファイルの転送要求の送信後、Ｗｅｂサーバへのアクセスの混雑等により所定の時間内にＷｅｂサーバ４１２からリンクファイルを受信できなかった場合（Ｓ１２３のＮＯ）、「リンクファイルが見つかりません。」等のエラーメッセージを操作部１５０に表示し（Ｓ１２４）、Ｓ１０３の手順でハードディスク１６２に保存した画像データをＤＲＡＭ１１６に読み出して（Ｓ１０７）、前記画像データをプリンタ部３００において設定条件に従って印刷し出力する（Ｓ１０８）。
【００６０】
ＨＴＭＬファイルの転送要求を送信後、所定の時間内にＷｅｂサーバ４１２からリンクファイルを受信した場合には（Ｓ１２３のＹＥＳ）、受信したＨＴＭＬファイルおよびリンクファイルから、ユーザーが選択したタイトルに関するＷｅｂページの画像データを生成し（Ｓ１２５）、前記画像データをプリンタ部３００において設定条件に従って印刷し出力するものである（Ｓ１０８）。
【００６１】
（その他の実施形態）
本発明による画像形成装置を構成する各手段、および画像処理方法は、専用のハードウエア回路によっても、プログラムされた画像形成装置によっても実現することができる。プログラムされた画像形成装置によって本発明を実現する場合、画像形成装置を動作させるプログラムは、フロッピー（登録商標）ディスクやＣＤ−ＲＯＭ等のコンピュータ読取可能な記録媒体によって提供されることができる。この場合、コンピュータ読取可能な記録媒体に記録されたプログラムは、通常、ＲＯＭやハードディスク等に転送され記憶される。また、このプログラムは、たとえば、単独のアプリケーションソフトとして提供されてもよいし、また、画像形成装置の一機能としてその装置のソフトウエアに組み込んでもよい。
【図面の簡単な説明】
【００６２】
【図１】本発明の実施の第１形態に係る画像入出力システムの構成を示すブロック図である。
【図２】図１の画像入出力システムのリーダ部２００およびプリンタ部３００のハードウェア構成を模式的に示す図である。
【図３】図１の画像入出力システムにおける制御装置１１０の構成を示すブロック図である。
【図４】図１の画像入出力システムのハードディスク１６２の記憶領域を複数の領域に論理的に分けた状態を模式的に示す図である。
【図５（Ａ）】本発明の第１の実施形態にかかるデジタル複写機１１の画像処理の手順を示すフローチャートである。
【図５（Ｂ）】本発明の第１の実施形態にかかるデジタル複写機１１の画像処理の手順を示すフローチャートである。
【図５（Ｃ）】本発明の第１の実施形態にかかるデジタル複写機１１の画像処理の手順を示すフローチャートである。
【図６】本発明の第１の実施形態におけるＷｅｂページを印刷した原稿の一例を示す図である。
【図７】本発明の第１の実施形態において、Ｗｅｂサーバ４１２からＨＴＭＬファイルを受信できなかった場合に操作パネル部１１５に表示されるエラーメッセージの一例を示す図である。
【図８】本発明の第１の実施形態において、Ｗｅｂサーバ４１２からＨＴＭＬファイルを受信できなかった場合に操作パネル部１１５に表示されるエラーメッセージの他の例を示す図である。
【図９】本発明の第１の実施形態において、ＵＲＬの誤りを修正する場合に操作パネル部１１５に表示されるＵＲＬ修正画面の一例を示す図である。
【図１０】Ｗｅｂタイトルリストの一例を示す図である。
【図１１】Ｗｅｂタイトルリストのマーク記入例を示す図である。
【図１２】ＷｅｂタイトルをストアしたＤＲＡＭ１１６のイメージ図である。
【符号の説明】
【００６３】
１００    画像入出力システム
１１０    制御装置
１１１    メインコントローラ
１１２    ＣＰＵ
１１４    ＲＯＭ
１１６    ＤＲＡＭ
１５０    操作部
１６０    ハードディスクドライブ
１６２    ハードディスク
３００    プリンタ部
４００    ＬＡＮ
４０２    ボックス領域
４１１    ＰＣ
４１２    Ｗｅｂサーバ
【図１】
2006221228.tif 000003
【図２】
2006221228.tif 000004
【図３】
2006221228.tif 000005
【図４】
2006221228.tif 000006
【図５（Ａ）】
2006221228.tif 000007
【図５（Ｂ）】
2006221228.tif 000008
【図５（Ｃ）】
2006221228.tif 000009
【図６】
2006221228.tif 000010
【図７】
2006221228.tif 000011
【図８】
2006221228.tif 000012
【図９】
2006221228.tif 000013
【図１０】
2006221228.tif 000014
【図１１】
2006221228.tif 000015
【図１２】
2006221228.tif 000016